【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、
該複数のキャビティーで成形された該複数のレンズは、光学特性の値の相対差が許容範囲外であり、
該複数のキャビティーで成形された該複数のレンズの各々の光学特性のバラツキに応じて、該光学特性の値の相対差が許容範囲内に入るようにキャビティー同士を複数のグループに分けたとき、該各々の走査光学系を構成する同一光学特性の少なくとも１枚のレンズは該複数のグループのうちの１つのグループ内の複数のキャビティーから成形されていることを特徴とする走査光学ユニット。
【請求項２】  前記光学特性の値は、前記像担持体面上の照射位置高さであることを特徴とする請求項１記載の走査光学ユニット。
【請求項３】  前記光学特性の値の許容範囲は、前記像担持体面上の全走査領域において、照射位置高さの相対差が１００μｍ以内であることを特徴とする請求項１記載の走査光学ユニット。
【請求項４】  前記光学特性の値は、前記像担持体面上の主走査方向の部分倍率であることを特徴とする請求項１記載の走査光学ユニット。
【請求項５】  前記光学特性の値の許容範囲は、前記像担持体面上の全走査領域において、主走査方向のドット位置ズレの相対差が１００μｍ以内であることを特徴とする請求項１記載の走査光学ユニット。
【請求項６】  複数の像担持体に複数の光束を走査して該像担持体上に画像を形成する走査光学ユニットにおいて、
該複数のキャビティーで成形された該複数のレンズは、光学特性の値の相対差が許容範囲外であり、
各像担持体面上を光束で走査する各々の走査光学系を構成する同一光学特性の少なくとも１枚のレンズは、複数のキャビティーを用いて成形されたものであり、
該複数のキャビティーで成形された該複数のレンズの各々の光学特性のバラツキに応じて、該光学特性値の相対差が許容範囲内に入るようにキャビティー同士を複数のグループに分けたとき、１台の走査光学ユニットに用いるレンズは、該複数のグループのうちの１つのグループの複数のキャビティーから成形されており、該複数のグループには、該複数のグループのどのグループにも属するキャビティーを少なくとも１つ有することを特徴とする走査光学ユニット。
【請求項７】  前記光学特性の値は、前記像担持体面上の照射位置高さであることを特徴とする請求項６記載の走査光学ユニット。
【請求項８】  前記光学特性の値の許容範囲は、前記像担持体面上の全走査領域において、照射位置高さの相対差が１００μｍ以内であることを特徴とする請求項６記載の走査光学ユニット。
【請求項９】  前記光学特性の値は、前記像担持体面上の主走査方向の部分倍率であることを特徴とする請求項６記載の走査光学ユニット。
【請求項１０】  前記光学特性の値の許容範囲は、前記像担持体面上の全走査領域において、主走査方向のドット位置ズレの相対差が１００μｍ以内であることを特徴とする請求項６記載の走査光学ユニット。
【請求項１１】  請求項１乃至１０のいずれか１項の走査光学ユニットと、外部機器から入力した色信号を異なった色の画像データに変換して走査光学ユニットに入力せしめるプリンタコントローラを有していることを特徴とするカラー画像形成装置。
【手続補正２】
【補正対象書類名】明細書
【補正対象項目名】００２５
【補正方法】変更
【補正の内容】
【００２５】
【課題を解決するための手段】
請求項１の発明の走査光学ユニットは、複数の像担持体に複数の光束を走査して該像担持体上に画像を形成する走査光学ユニットにおいて、
各像担持体面上を光束で走査する各々の走査光学系を構成する同一光学特性の少なくとも１枚のレンズは、複数のキャビティーを用いて成形されたものであり、
該複数のキャビティーで成形された該複数のレンズは、光学特性の値の相対差が許容範囲外であり、
該複数のキャビティーで成形された該複数のレンズの各々の光学特性のバラツキに応じて、該光学特性の値の相対差が許容範囲内に入るようにキャビティー同士を複数のグループに分けたとき、該各々の走査光学系を構成する同一光学特性の少なくとも１枚のレンズは該複数のグループのうちの１つのグループ内の複数のキャビティーから成形されていることを特徴としている。
請求項２の発明は請求項１の発明において、前記光学特性の値は、前記像担持体面上の照射位置高さであることを特徴としている。
請求項３の発明は請求項１の発明において、前記光学特性の値の許容範囲は、前記像担持体面上の全走査領域において、照射位置高さの相対差が１００μｍ以内であることを特徴としている。
請求項４の発明は請求項１の発明において、前記光学特性の値は、前記像担持体面上の主走査方向の部分倍率であることを特徴としている。
請求項５の発明は請求項１の発明において、前記光学特性の値の許容範囲は、前記像担持体面上の全走査領域において、主走査方向のドット位置ズレの相対差が１００μｍ以内であることを特徴としている。
【手続補正３】
【補正対象書類名】明細書
【補正対象項目名】００２６
【補正方法】変更
【補正の内容】
【００２６】
請求項６の発明の走査光学ユニットは、複数の像担持体に複数の光束を走査して該像担持体上に画像を形成する走査光学ユニットにおいて、
該複数のキャビティーで成形された該複数のレンズは、光学特性の値の相対差が許容範囲外であり、
各像担持体面上を光束で走査する各々の走査光学系を構成する同一光学特性の少なくとも１枚のレンズは、複数のキャビティーを用いて成形されたものであり、
該複数のキャビティーで成形された該複数のレンズの各々の光学特性のバラツキに応じて、該光学特性値の相対差が許容範囲内に入るようにキャビティー同士を複数のグループに分けたとき、１台の走査光学ユニットに用いるレンズは、該複数のグループのうちの１つのグループの複数のキャビティーから成形されており、該複数のグループには、該複数のグループのどのグループにも属するキャビティーを少なくとも１つ有することを特徴としている。
請求項７の発明は請求項６の発明において、前記光学特性の値は、前記像担持体面上の照射位置高さであることを特徴としている。
請求項８の発明は請求項６の発明において、前記光学特性の値の許容範囲は、前記像担持体面上の全走査領域において、照射位置高さの相対差が１００μｍ以内であることを特徴としている。
請求項９の発明は請求項６の発明において、前記光学特性の値は、前記像担持体面上の主走査方向の部分倍率であることを特徴としている。
請求項１０の発明は請求項６の発明において、前記光学特性の値の許容範囲は、前記像担持体面上の全走査領域において、主走査方向のドット位置ズレの相対差が１００μｍ以内であることを特徴としている。
【手続補正４】
【補正対象書類名】明細書
【補正対象項目名】００２７
【補正方法】変更
【補正の内容】
【００２７】
請求項１１の発明のカラー画像形成装置は、請求項１乃至１０のいずれか１項の走査光学ユニットと、外部機器から入力した色信号を異なった色の画像データに変換して走査光学ユニットに入力せしめるプリンタコントローラを有していることを特徴としている。

【手続補正５】
【補正対象書類名】明細書
【補正対象項目名】００２８
【補正方法】削除
【補正の内容】